(57)【要約】      （修正有）【課題】飲食店と利用者の要望を両立できる予約システム、予約プログラム、および予約方法を提供する。【解決手段】予約システムに、店舗を検索する検索条件の指定を受け付け、店舗データから前記検索条件に該当する店舗を検索する検索条件入力機能部３１６と、検索によりヒットした複数の店舗の中から任意の店舗を指定して予約する予約内容指定機能部３２０と、移動開始地点から検索した店舗までの所要時間を得る経路演算機能部３１９とを備える。予約内容指定機能部３２０は、利用を開始する開始日時と終了日時または利用時間の指定を受け付け、経路演算機能部３１９により取得した所要時間が現在時刻から経過した到着予想時刻または到着予想時刻付近の時刻を開始日時として入力する。【選択図】図２
2019185078.tif 000002
【特許請求の範囲】
【請求項１】
複数の店舗に関する店舗データを記憶する記憶手段と、
前記店舗を検索する検索条件の指定を受け付ける検索条件指定手段と、
前記記憶手段に記憶されている店舗データから前記検索条件に該当する店舗を検索する店舗検索手段と、
検索によりヒットした複数の店舗の中から任意の店舗を指定して予約する予約手段と、
移動開始地点から検索した店舗までの所要時間を得る所要時間取得手段とを備え、
前記予約手段は、
利用を開始する開始日時と終了日時または利用時間の指定を受け付ける利用日時指定受付手段と、
前記所要時間取得手段により取得した所要時間が現在時刻から経過した到着予想時刻または到着予想時刻付近の時刻を前記開始日時として入力する到着予想時刻予約反映手段とを有する
予約システム。
【請求項２】
前記予約手段は、前記店舗のどの座席を予約するか指定する座席指定手段を備えた
請求項１記載の予約システム。
【請求項３】
前記座席指定手段は、予約しようとしている日付および時間帯で予約可能な座席と少しでも予約が入ってその時間帯で予約できない座席を区別して表示し、予約可能な座席の中から指定する構成である
請求項２記載の予約システム。
【請求項４】
前記記憶手段は、店舗における予約を受け付ける最小単位である予約時間指定最小単位を前記店舗データに記憶する構成であり、
前記到着予想時刻予約反映手段は、前記予約時間指定最小単位での時間区切りに合わせて前記到着予想時刻に近い前記時間区切りの時刻を開始日時として入力する構成である
請求項１、２、または３記載の予約システム。
【請求項５】
前記記憶手段は、店舗における予約を受け付ける最短時間を前記店舗データに記憶する構成であり、
前記到着予想時刻予約反映手段は、前記最短時間を前記利用時間とするか、あるいは前記開始日時から前記最短時間が経過した時刻を前記終了日時としてデフォルト値とする構成である
請求項４記載の予約システム。
【請求項６】
コンピュータを、
記憶手段に記憶されている店舗データの中から店舗を検索する検索条件の指定を受け付ける検索条件指定手段と、
前記記憶手段に記憶されている店舗データから前記検索条件に該当する店舗を検索する店舗検索手段と、
検索によりヒットした複数の店舗の中から任意の店舗を指定して予約する予約手段と、
移動開始地点から検索した店舗までの所要時間を得る所要時間取得手段とを備え、
前記予約手段は、
利用を開始する開始日時と終了日時または利用時間の指定を受け付ける利用日時指定受付手段と、
前記所要時間取得手段により取得した所要時間が現在時刻から経過した到着予想時刻または到着予想時刻付近の時刻を前記開始日時として入力する到着予想時刻予約反映手段として機能させる
予約プログラム。
【請求項７】
複数の店舗に関する店舗データを記憶手段に記憶しておき、
前記店舗を検索する検索条件の指定を検索条件指定手段により受け付け、
前記記憶手段に記憶されている店舗データから前記検索条件に該当する店舗を店舗検索手段により検索し、
検索によりヒットした複数の店舗の中から任意の店舗を予約手段により指定して予約し、
移動開始地点から検索した店舗までの所要時間を所要時間取得手段により取得し、
前記予約手段は、
利用を開始する開始日時と終了日時または利用時間の指定を利用日時指定受付手段により受け付け、
前記所要時間取得手段により取得した所要時間が現在時刻から経過した到着予想時刻または到着予想時刻付近の時刻を前記開始日時として到着予想時刻予約反映手段により入力する
予約方法。
【発明の詳細な説明】
【技術分野】
【０００１】
この発明は、例えば飲食店等の店舗を予約するような予約システム、予約プログラム、および予約方法に関する。
【背景技術】
【０００２】
従来、様々な店舗で商品やサービスの提供が行われている。例えば、飲食店では、適宜の飲食物の注文を受け付け、料金を計算して決済することが行われている。このような決済に関するシステムとして、発注オーダ・料金情報管理システムが提案されている（特許文献１参照）。このシステムは、オーダ情報がタッチパネル５に表示されると同時にＩＣカード９の記憶装置１０で記憶され、その情報は無線で厨房システム１１に送られ調理指示が出されて、飲食が終了すると、顧客がＩＣカード９をレジに持参し、レジではＩＣカードリーダ１９で飲食料金情報を読み取り精算処理を行うものである。これにより、現金を始めとする一切の清算処理の迅速化を図るとされている。
【０００３】
ところで、喫茶店やファミリーレストラン等の飲食店の利用者は、飲食を楽しむために利用することに限らず、客先への訪問前に時間調整のために利用する、あるいは訪問後に報告書をノートパソコンやタブレット端末で入力する、あるいは読書、学習などに利用することがある。
【０００４】
ここで、出張先や遠方など、地理にあかるくない場合は、訪問先の周辺に喫茶店等が無いか予め探しておき、当日にその喫茶店等を利用して時間調整をする利用者もいる。しかしながら、その喫茶店等がどれくらい混雑しているかはわからないため、喫茶店にはたどり着けたものの満席で利用できず、訪問時間までの時間調整に困るといったことが生じ得る。また、時間に遅れることを避けるために早めに訪れた場合は、約束の時間までの時間が長くなり、喫茶店等で注文した飲料を飲み終わってもまだ時間が余るということもある。このような場合に暫く店舗内の座席を占有されると、飲食店としては、他の顧客への飲食物の提供をする機会が失われるという問題点がある。
【０００５】
このように、利用者は、飲食店をタイムリーかつ自由な時間で利用したいという要望を持っており、飲食店は飲食時間以上に座席を占有されることは避けたいという要望を持っているが、両者の要望を叶えるような提案はなされていなかった。
【先行技術文献】
【特許文献】
【０００６】
【特許文献１】特開２０００−０１１０４２号公報
【発明の概要】
【発明が解決しようとする課題】
【０００７】
この発明は、上述の問題点に鑑みて、飲食店と利用者の要望を両立できる予約システム、予約プログラム、および予約方法を提供し、両者の満足度を向上させることを目的とする。
【課題を解決するための手段】
【０００８】
この発明は、複数の店舗に関する店舗データを記憶する記憶手段と、前記店舗を検索する検索条件の指定を受け付ける検索条件指定手段と、前記記憶手段に記憶されている店舗データから前記検索条件に該当する店舗を検索する店舗検索手段と、検索によりヒットした複数の店舗の中から任意の店舗を指定して予約する予約手段と、移動開始地点から検索した店舗までの所要時間を得る所要時間取得手段とを備え、前記予約手段は、利用を開始する開始日時と終了日時または利用時間の指定を受け付ける利用日時指定受付手段と、前記所要時間取得手段により取得した所要時間が現在時刻から経過した到着予想時刻または到着予想時刻付近の時刻を前記開始日時として入力する到着予想時刻予約反映手段とを有する予約システムであることを特徴とする。
【０００９】
この発明の態様として、前記予約手段は、前記店舗のどの座席を予約するか指定する座席指定手段を備えることができる。
【００１０】
また、この発明の態様として、前記座席指定手段は、予約しようとしている日付および時間帯で予約可能な座席と少しでも予約が入ってその時間帯で予約できない座席を区別して表示し、予約可能な座席の中から指定する構成とすることができる。
【００１１】
また、この発明の態様として、前記記憶手段は、店舗における予約を受け付ける最小単位である予約時間指定最小単位を前記店舗データに記憶する構成であり、前記到着予想時刻予約反映手段は、前記予約時間指定最小単位での時間区切りに合わせて前記到着予想時刻に近い前記時間区切りの時刻を開始日時として入力する構成とすることができる。
【００１２】
また、この発明の態様として、前記記憶手段は、店舗における予約を受け付ける最短時間を前記店舗データに記憶する構成であり、前記到着予想時刻予約反映手段は、前記最短時間を前記利用時間とするか、あるいは前記開始日時から前記最短時間が経過した時刻を前記終了日時としてデフォルト値とする構成とすることができる。
【００１３】
また、この発明は、コンピュータを、記憶手段に記憶されている店舗データの中から店舗を検索する検索条件の指定を受け付ける検索条件指定手段と、前記記憶手段に記憶されている店舗データから前記検索条件に該当する店舗を検索する店舗検索手段と、検索によりヒットした複数の店舗の中から任意の店舗を指定して予約する予約手段と、移動開始地点から検索した店舗までの所要時間を得る所要時間取得手段とを備え、前記予約手段は、利用を開始する開始日時と終了日時または利用時間の指定を受け付ける利用日時指定受付手段と、前記所要時間取得手段により取得した所要時間が現在時刻から経過した到着予想時刻または到着予想時刻付近の時刻を前記開始日時として入力する到着予想時刻予約反映手段として機能させる予約プログラムとすることができる。
【００１４】
また、この発明は、複数の店舗に関する店舗データを記憶手段に記憶しておき、前記店舗を検索する検索条件の指定を検索条件指定手段により受け付け、前記記憶手段に記憶されている店舗データから前記検索条件に該当する店舗を店舗検索手段により検索し、検索によりヒットした複数の店舗の中から任意の店舗を予約手段により指定して予約し、移動開始地点から検索した店舗までの所要時間を所要時間取得手段により取得し、前記予約手段は、利用を開始する開始日時と終了日時または利用時間の指定を利用日時指定受付手段により受け付け、前記所要時間取得手段により取得した所要時間が現在時刻から経過した到着予想時刻または到着予想時刻付近の時刻を前記開始日時として到着予想時刻予約反映手段により入力する予約方法とすることができる。
【００１５】
また、この発明は、注文された飲食物に関する飲食物情報の入力を受け付ける飲食物情報入力部と、入力された前記飲食物情報に基づいて当該飲食物の単価である飲食物単価を記憶部から取得する単価取得手段と、取得した前記飲食物単価を加算して合計料金を算出する合計料金算出手段と、算出した合計料金を出力する合計料金出力手段を有する決済システムであって、利用者が店内の領域を利用する又は利用した利用時間を取得する利用時間取得手段と、予め設定された時間利用単価と前記利用時間に基づく時間利用料金を算出する時間利用料金算出手段とを備え、前記合計料金算出手段は、前記飲食物単価と前記時間利用料金を含む合計料金を算出する構成である決済システムとすることができる。
【００１６】
この発明の態様として、前記利用時間取得手段により前記利用時間を取得した場合に、所定の前記飲食物情報にかかる前記飲食物単価に対して所定の割引を行う時間利用時割引適用手段を備え、前記合計料金算出手段は、前記時間利用時割引き適用手段により適用される割引をした料金を前記合計料金として算出する構成とすることができる。
【００１７】
また、この発明の態様として、前記利用時間の増加入力を受け付ける利用時間増加入力手段を備えることができる。
【００１８】
また、この発明の態様として、前記領域は、一人用に割り当てられるテーブル上の領域又は／及び座席であり、前記利用者が利用する又は利用した前記領域の領域数の入力を受け付ける領域数入力手段を備え、前記時間利用料金算出手段は、前記時間利用単価と前記利用時間と前記領域数に基づいて前記時間利用料金を算出する構成とすることができる。
【００１９】
また、この発明の態様として、利用者を識別する利用者識別情報を取得する利用者識別情報取得手段と、前記利用者が利用した前記合計料金を前記利用者識別情報と関連づけて記憶する利用履歴記憶手段と、前記利用者識別情報と当該利用者が所属する組織を識別する組織識別情報とが含まれる組織管理情報を記憶する組織管理情報記憶手段と、前記組織に所属する複数の前記利用者について、当該利用者が利用した前記合計料金を合計して組織内合計利用料金を算出する組織内合計利用料金算出手段と、前記組織内合計利用料金を出力する組織内合計利用料金出力手段とを備えることができる。
【００２０】
また、この発明の態様として、前記組織管理情報記憶手段は、前記組織がサービス提供可能状態か否かを示すサービス提供可否情報も記憶する構成であり、前記利用者識別情報取得手段により取得した利用者識別情報の所属する組織がサービス提供不可状態であればエラー出力をする利用可否認証手段を備えることができる。
【００２１】
また、この発明は、コンピュータを、注文された飲食物に関する飲食物情報の入力を受け付ける飲食物情報入力部と、入力された前記飲食物情報に基づいて当該飲食物の単価である飲食物単価を記憶部から取得する単価取得手段と、取得した前記飲食物単価を加算して合計料金を算出する合計料金算出手段と、算出した合計料金を出力する合計料金出力手段を有する決済システムとして機能させる決済プログラムであって、前記コンピュータを、利用者が店内の領域を利用する又は利用した利用時間を取得する利用時間取得手段と、予め設定された時間利用単価と前記利用時間に基づく時間利用料金を算出する時間利用料金算出手段として機能させ、前記合計料金算出手段は、前記飲食物単価と前記時間利用料金を含む合計料金を算出する構成である決済プログラムとすることができる。
【００２２】
また、この発明は、注文された飲食物に関する飲食物情報の入力を受け付ける飲食物情報入力部と、入力された前記飲食物情報に基づいて当該飲食物の単価である飲食物単価を記憶部から取得する単価取得手段と、取得した前記飲食物単価を加算して合計料金を算出する合計料金算出手段と、算出した合計料金を出力する合計料金出力手段を有する決済システムにより決済する決済方法であって、利用者が店内の領域を利用する又は利用した利用時間を利用時間取得手段により取得し、予め設定された時間利用単価と前記利用時間に基づく時間利用料金を時間利用料金算出手段により算出する構成であり、前記合計料金算出手段により、前記飲食物単価と前記時間利用料金を含む合計料金を算出する決済方法とすることができる。
【発明の効果】
【００２３】
この発明により、飲食店と利用者の要望を両立でき、両者の満足度を向上させることができる。
【図面の簡単な説明】
【００２４】
【図１】領域予約システムのシステム構成を示すブロック図。
【図２】領域予約システムの機能を示す機能ブロック図。
【図３】ユーザ端末に表示する画面の説明図。
【図４】ユーザ端末に表示する画面の説明図。
【図５】実施例２の決済システムのシステム構成を示すブロック図。
【図６】実施例２の管理サーバの管理データベースに記憶されているデータのデータ構成図。
【図７】実施例２の管理サーバの管理データベースに記憶されているデータのデータ構成図。
【図８】実施例２の決済システムの各ハードウェアの機能を示す機能ブロック図。
【図９】実施例２のユーザ端末の表示部に表示する画面の説明図。
【図１０】実施例２のユーザ端末の表示部に表示する画面の説明図。
【発明を実施するための形態】
【００２５】
以下、本願発明の一実施形態を説明する。
【実施例１】
【００２６】
＜システム構成＞
図１は、領域予約システム３０１（予約システム）のシステム構成を示すブロック図である。  
領域予約システム３０１は、例えば、喫茶店やファミリーレストラン等の飲食物を提供する飲食店にて領域の時間予約を可能とする。
【００２７】
領域予約システム３０１は、飲食店本部等に設置される提供企業サーバ２、飲食店の店舗に設置される提供企業店舗端末３、管理会社等に設置される管理サーバ４、管理会社等に設置されるＷＥＢサーバ５、利用企業に所属する利用者（社員など）が携帯するユーザ端末６、及び利用企業本社等に設置される利用企業サーバ７を有しており、これらがインターネット９に接続されている。なお、利用者が個人である場合には、ユーザ端末６を用いればよく、利用企業サーバ７を用いない、あるいは利用企業サーバ７を同じ個人が利用するなど、適宜の構成とすることができる。
【００２８】
提供企業サーバ２、管理サーバ４、ＷＥＢサーバ５、および利用企業サーバ７は、それぞれサーバコンピュータで構成されており、それぞれハードウェア要素として、ＣＰＵとＲＯＭとＲＡＭ等で構成されて各種演算や制御動作を実行する制御部２ａ，４ａ，５ａ，７ａ、ハードディスクやフラッシュメモリ等で構成されて情報の読み取り／書き込みを許容する記憶部２ｂ，４ｂ，５ｂ，７ｂ、タッチパネル、キーボード、マウス、押下ボタン、またはこれらの複数で構成されて接触操作による入力を受け付ける入力部２ｉ，４ｉ，５ｉ，７ｉ、液晶ディスプレイや有機ＥＬディスプレイ等で構成されて文字や図等の画像を表示する表示部２ｊ，４ｊ，５ｊ，７ｊ、及びＬＡＮボードやＷｉＦｉユニット等で構成されて有線または無線での通信を実行する通信部２ｋ，４ｋ，５ｋ，７ｋを備えている。
【００２９】
提供企業店舗端末３は、ＰＯＳレジ機能と通信機能を有する一般的なコンピュータで構成されており、ハードウェア要素として、ＣＰＵとＲＯＭとＲＡＭ等で構成されて各種演算や制御動作を実行する制御部３ａ、ハードディスクやフラッシュメモリ等で構成されて情報の読み取り／書き込みを許容する記憶部３ｂ、タッチパネル、キーボード、マウス、押下ボタン、またはこれらの複数で構成されて接触操作による入力を受け付ける入力部３ｉ、液晶ディスプレイや有機ＥＬディスプレイ等で構成されて文字や図等の画像を表示する表示部３ｊ、及びＬＡＮボードやＷｉＦｉユニット等で構成されて有線または無線での通信を実行する通信部３ｋを備えている。
【００３０】
ユーザ端末６は、携帯電話やスマートフォン等（総称して携帯電話とも言う。）で構成されており、ハードウェア要素として、ＣＰＵとＲＯＭとＲＡＭ等で構成されて各種演算や制御動作を実行する制御部６ａ、フラッシュメモリ等で構成されて情報の読み取り／書き込みを許容する記憶部６ｂ、タッチパネル、押下ボタン、またはこれらの複数で構成されて接触操作による入力を受け付ける入力部６ｉ、液晶ディスプレイや有機ＥＬディスプレイ等で構成されて文字や図等の画像を表示する表示部６ｊ、及び電話回線用アンテナやＷｉＦｉユニット等で構成されて無線での通信を実行する通信部６ｋを備えている。
【００３１】
提供企業サーバ２は、記憶部２ｂに、提携プログラム３０２ｃと提携データベース３０２ｄが記憶されている。提供企業サーバ２の制御部２ａは、提携プログラム３０２ｃに従って提携データベース３０２ｄのデータを利用して各種動作を実行する。
【００３２】
提供企業店舗端末３は、記憶部３ｂに、店舗プログラム３０３ｃと店舗データベース３０３ｄが記憶されている。提供企業店舗端末３の制御部３ａは、店舗プログラム３０３ｃに従って店舗データベース３０３ｄのデータを利用して各種動作を実行する。
【００３３】
管理サーバ４は、記憶部４ｂに、管理プログラム３０４ｃと管理データベース３０４ｄが記憶されている。管理サーバ４の制御部４ａは、管理プログラム３０４ｃに従って管理データベース３０４ｄのデータを利用して各種動作を実行する。
【００３４】
管理データベース３０４ｄは、ユーザに関するユーザデータ、店舗に関する手のデータ、および地図に関する地図データ等、各種データが記憶されている。  
ユーザデータは、ユーザＩＤ、ユーザ名、パスワード、クレジットカード番号１、クレジットカード番号１有効期限、クレジットカード番号２、クレジットカード番号２有効期限、ユーザ携帯電話番号、ユーザ住所、ユーザメールアドレス等のユーザに関するデータを記憶している。
【００３５】
店舗データは、店舗ＩＤ、店舗名、店舗住所、店舗緯度経度、店舗電話番号、最短時間、予約時間指定最小単位、開店時刻（営業開始時刻）、閉店時刻（営業終了時刻）、定休日、臨時休業日、予約可能座席数、座席１＿ＩＤ、座席１ランク、座席１種別、座席２＿ＩＤ、座席２ランク、座席２種別、…等の店舗に関するデータを記憶している。なお、座席１ランク、座席２ランク、…は、スタンダードやプレミアといった座席（領域）のランクを店舗の任意によって登録できる。また、座席１種別、座席２種別、…は、屋内やテラスといった座席種別を店舗の任意によって登録できる。
【００３６】
このように、管理データベース３０４ｄには、予約に必要な全てのデータが記憶されている。従って、ユーザ端末６や提供企業店舗端末３は、ＷＥＢサーバ５を通じて管理サーバ３の管理データベース３０４ｄにアクセスし、ユーザ認証、予約可否の確認、予約の実行、予約されていることの確認といった各種動作を行う。
【００３７】
ＷＥＢサーバ５は、記憶部５ｂに、ＷＥＢプログラム３０５ｃとＷＥＢデータベース３０５ｄが記憶されている。ＷＥＢサーバ５の制御部５ａは、ＷＥＢプログラム３０５ｃに従ってＷＥＢデータベース３０５ｄのデータを利用して各種動作を実行する。
【００３８】
ユーザ端末６は、記憶部６ｂに、操作プログラム３０６ｃと操作データベース３０６ｄが記憶されている。ユーザ端末６の制御部６ａは、操作プログラム３０６ｃに従って操作データベース３０６ｄのデータを利用して各種動作を実行する。
【００３９】
利用企業サーバ７は、記憶部７ｂに、閲覧プログラム３０７ｃと利用データベース３０７ｄが記憶されている。利用企業サーバ７の制御部７ａは、閲覧プログラム３０７ｃに従って利用データベース３０７ｄのデータを利用して各種動作を実行する。
【００４０】
この構成により、領域予約システム３０１は、ＷＥＢサーバ５を介してユーザ端末６が提供企業店舗の座席の時間予約および決済を管理サーバ４に対して実行し、その予約内容を提供企業店舗端末３がＷＥＢサーバ５を介して管理サーバ４に確認し、利用者が予約した時間帯の予約した座席の利用を提供企業店舗の店員が受け付けるものである。
【００４１】
図２は、ユーザ端末６の記憶部６ｂにインストールされている操作プログラム３０６ｃにしたがって制御部６ａが実行する機能の機能ブロック図であり、図３及び図４はユーザ端末６の制御部６ａが表示部６ｊに表示して操作入力を受け付ける各種画面の説明図である。
【００４２】
制御部６ａは、ログイン機能部として機能し、図３（Ａ）に示すログイン画面３３０を表示部６ｊに表示して、ＩＤ入力部３３２とパスワード入力部３３３によりＩＤとパスワードの入力を受け付ける。このＩＤとパスワードは、操作プログラム３０６ｃ（図１参照）がインストールされた後の最初の起動時に設定するものであり、メニューボタン３３１から新規登録あるいは変更することができる。ＩＤとパスワードが入力されてＯＫボタン３３４が押下されると、制御部６ａは、入力されたＩＤとパスワードが正しいかＷＥＢサーバ５へ照合する。ＷＥＢサーバ５は、管理サーバ４の管理データベース３０４ｄにアクセスしてＩＤとパスワードの両方が一致するか照合して、その照合結果をＷＥＢサーバ５からユーザ端末６が受け取る。
【００４３】
制御部６ａは、ユーザの照合結果が照合ＯＫであれば、図３（Ｂ）に示す店舗検索画面３４０を表示部６ｊに表示する。この店舗検索画面３４０は、ログイン画面に戻るためのログイン画面に戻るボタン３４１、店舗名の入力を受け付けて該当する店舗名の店舗を検索して一覧表示する店舗名で検索ボタン３４２、住所や地名等の入力を受け付けて該当する住所や地名等の店舗を検索して一覧表示する住所・地名で検索ボタン３４３、ユーザ端末６が所持するＧＰＳ機能（図示省略）によって現在位置を取得してその現在位置に近い店舗を一覧表示する現在地で検索ボタン３４４、電話番号の入力を受け付けて該当する電話番号の店舗を検索して一覧表示する電話番号で検索ボタン３４５、現在の予約の一覧を表示する現在の予約一覧ボタン３４６、および過去の予約履歴を一覧表示する過去の予約履歴ボタン３４７を有している。
【００４４】
現在の予約一覧ボタン３４６が押下されると、現在予約表示機能部３１３が機能し、ユーザ端末６の制御部６ａがＷＥＢサーバ５にアクセスしてユーザＩＤが一致するデータのうち現在予約していてまだ利用していない予約のデータを要求し、ＷＥＢサーバ５が管理サーバ４の管理データベース３０４ｄから該当するデータ（現在の予約一覧データ）を取得してユーザ端末６に返信する。ユーザ端末６の制御部６ａは、受信した現在の予約一覧データを表示部６ｊに表示する。
【００４５】
一覧表示された現在の予約のうち一つが選択されると、制御部６ａは予約内容詳細表示機能部３１４として機能し、予約内容の詳細を示す予約内容詳細画面４２０（図４（Ｃ）にて後述）を表示する。なお、この予約内容詳細画面４２０（図４（Ｃ）にて後述）にて予約日時や予約店舗の変更（キャンセルを含む）を受け付ける構成としてもよい。この場合、受け付けた変更内容は、ＷＥＢサーバ５を通じて管理サーバ４の管理データベース３０４ｄに記憶される。ただし、変更の受付には所定の条件を課しており、例えば前日のキャンセルは半額負担、当日のキャンセルは全額負担、当日の時間変更や店舗変更は不可といった条件を課すことが好ましい。この条件は、店舗によって適宜定められ、管理データべース３０４ｄに記憶されている。
【００４６】
よって、予約の変更不可のタイミングで予約内容詳細画面（図４（Ｃ）にて後述）を表示している場合は、予約変更をしようとしても「予約日時の２４時間前を過ぎているために変更できません。予約をキャンセルしますか？」といった表示をしてキャンセルのみ受け付ける構成としてもよい。このようにしてキャンセルされた場合は、ＷＥＢサーバ５を通じて管理サーバ４にキャンセル情報を送信し、そのユーザーに対する返金は行わないが、管理データベース３０４ｄのデータを予約済みから予約無しに変更して、他のユーザーがその時間帯のその座席を予約することは受け付ける構成とすることが好ましい。
【００４７】
店舗検索画面３４０で過去の予約履歴ボタン３４７が押下されると、予約履歴表示機能部３１５（図２）が機能し、ユーザ端末６の制御部６ａがＷＥＢサーバ５にアクセスしてユーザＩＤが一致するデータのうち予約して利用完了している予約のデータを要求し、ＷＥＢサーバ５が管理サーバ４の管理データベース３０４ｄから該当するデータ（過去の予約一覧データ）を取得してユーザ端末６に返信する。ユーザ端末６の制御部６ａは、受信した過去の予約一覧データを表示部６ｊに表示する。
【００４８】
各種の検索ボタン３４２，３４３，３４５のいずれか１つが押下されると、検索条件入力機能部３１６（店舗検索手段）が機能し、図示省略する検索条件入力画面（検索条件指定手段）にて店舗名、住所・地名、または電話番号の入力を受け付ける。現在地で検索ボタン３４４が押下された場合には、ユーザ端末６のＧＰＳ機能部（図示省略）によって現在地の座標を取得する。検索条件入力機能部３１６は、入力された検索条件（店舗名、住所・地名、現在地、電話番号）をＷＥＢサーバ５へ送信し、ＷＥＢサーバ５が管理サーバ４の管理データベース３０４ｄから該当する店舗の店舗データを取得し、ユーザ端末６へ返信する。
【００４９】
検索条件に該当する店舗データを受信したユーザ端末６の制御部６ａは、検索結果表示機能部３１７を機能させ、図３（Ｃ）に示す検索結果一覧画面３５０を表示部６ｊに表示する。この検索結果一覧画面３５０は、店舗検索画面３４０に戻る店舗検索ボタン３５１、検索によりヒットした店舗の周辺地図を表示する地図表示部３５２、この地図上で検索した店舗を表示する店舗マーク３５３、検索条件を表示するとともに検索条件を変更して再検索を許容する検索条件入力部３５４（検索条件指定手段）、および検索でヒットした店舗を一覧表示する店舗一覧表示部３５５を有している。なお、店舗一覧表示部３５５は、上方へ向かってスクロールさせることで、下方に隠れている残りの店舗も表示することができる。また、店舗一覧表示部３５５は、各店舗について、店舗名、現在位置からの距離、営業時間、定休日、および最低利用時間とその最低利用時間の利用に対する課金の金額を店舗別に表示している。
【００５０】
このように表示している地図表示部３５２上の一つの店舗マーク３５３または店舗一覧表示部３５５のうちの一つの店舗が選択されると、制御部６ａは、選択店舗表示機能部３１８を機能させ、図３（Ｄ）に示す選択店舗個別の店舗詳細情報画面３６０を表示する。
【００５１】
店舗詳細情報画面３６０は、検索結果一覧画面３５０へ戻るための検索結果一覧へ戻るボタン３６１、地図表示を行う地図表示部３６２、店舗に関する詳細情報を表示する店舗詳細情報表示部３６４、店舗までの経路を確認するための経路確認ボタン３６５、およびその店舗に予約を行うための予約ボタン３６６を有している。
【００５２】
地図表示部３６２には、選択された店舗を中心としてその付近の地図を表示し、地図上の店舗位置に店舗マーク３６３を表示している。  
店舗詳細情報表示部３６４は、店舗名、現在地からの距離、営業時間、定休日、予約可能な時間単位（時間区切り）である予約時間指定最小単位、当該予約時間指定最小単位の利用に対するランク別の利用料金（スタンダードやプレミアムといったランク別の単位時間単価）、予約可能な最短時間、最短時間の価格（スタンダードやプレミアムといったランク別の最短時間単価）、複数の店舗写真や飲食物写真、屋内席の有無、テラス席の有無、禁煙／喫煙、および予約時のサービス内容等が表示されている。
【００５３】
経路確認ボタン３６５が押下されると、経路演算機能部３１９（所要時間取得手段）が機能し、図３（Ｅ）に示す経路確認画面３７０を表示する。経路確認画面３７０は、選択された店舗の店舗詳細情報画面３６０に戻るための店舗詳細へ戻るボタン３７１、現在地と店舗位置を含めた地図を表示する地図表示部３７２、現在地から店舗までの経路を説明する経路説明部３７６、および予約を実行する予約ボタン３７８を有している。
【００５４】
地図表示部３７２は、ユーザ端末６のＧＰＳ機能部（図示省略）によって取得した現在位置（もしくはユーザが開始位置として入力した開始位置）を示す移動開始位置マーク３７３と、選択された店舗の位置である目的位置マーク３７４と、開始位置マーク３７３から目的位置マーク３７４までの経路を示す経路ライン３７５が設けられている。この経路ライン３７５は、経路説明部３７６において移動手段選択ボタン３７７で選択された移動手段での経路を表示する。このとき、この経路を利用して開始地点から目的地までの移動に要する所要時間も算出し、この所要時間を所要時間表示部に表示する。
【００５５】
経路説明部３７６は、目的地（店舗位置）を表示する目的地表示部（例：○○カフェ）、出発地（現在位置または開始位置）を表示する開始地表示部（例：現在地）、到着予想時刻を表示する到着予想時刻表示部（例：８：２７着）、所要時間を表示する所要時間表示部（例：４３分）、到着予想時刻に到着するために出発しなければならない時刻を表示する出発時刻表示部（例：７：４５までに出発）、徒歩の距離を示す徒歩距離表示部（例：８００ｍ）、交通機関の交通料金を表示する交通料金表示部（例：￥５２０）、移動手段をマークで表示する移動手段表示部（例：徒歩を示す歩く人のマーク、バスを示すバスのマークとバスの系統番号、電車を示す電車のマーク等）、および移動手段を選択許容する移動手段マーク（例：自動車を示す車のマーク、徒歩を示す歩く人のマーク、交通機関を示す交通機関マーク、タクシーを配車するための配車サービスマーク等）を表示する。
【００５６】
選択されている交通機関マークが変更されると、経路演算機能部３１９は、地図表示部３７２に表示する経路ライン３７５を、移動手段マークで選択された移動手段を用いる経路に変更し、予想到達時刻についても訂正して表示部６ｊに表示する。
【００５７】
予約ボタン３７８が押下されると、予約内容指定機能部３２０（予約手段）が機能し、図３（Ｆ）に示す予約画面３８０を表示部６ｊに表示して予約の実行に移る。
【００５８】
予約画面３８０は、前に表示しデータ経路確認画面３７０または店舗詳細情報画面３６０に戻るための前画面表示ボタン３８１、予約内容詳細を指定するための予約詳細表示部３８３、予約内容のどの部分を変更して指定するか選択する編集部選択カーソル３８２、予約して座席（領域）を使用する費用としてユーザが支払う合計料金（予約時間指定最小単位の単価を予約された利用時間の単位分だけ乗算した金額、あるいは利用時間から最短時間を減算した値に予約時間指定最小単位の単価を乗算した値に最短時間の料金を加算した金額）を示す合計料金表示部３８４、編集部選択カーソル３８２で選択された部分の修正を行うための修正内容指定部３８５と、予約を実行する予約実行ボタン３８６を有している。
【００５９】
予約詳細表示部３８３は、予約による領域（座席）の利用の開始日時を指定する開始日時指定部（利用日時指定受付手段，例：２０１８年３月２７日８：３０）、予約による領域（座席）の利用終了日時を示す終了日時指定部（例：２０１８年３月２７日）、開始日時から終了日時までの間の合計利用時間を示す合計利用時間表示部（例：５３分）、予約する座席の数と座席のＩＤを示す座席表示部、予約したい座席のクラスが何であるかを示すクラス表示部（例：スタンダード）を有している。
【００６０】
これらの中から変更（編集）するものを選択することで、各値を変更することができる。  
この予約画面３８０を表示する予約内容指定機能部３２０は、画面表示する前の段階で、経路演算機能部３１９により演算した経路での到着予想時刻を利用し、現在時刻から見た到着予想時刻または到着予想時刻に近い時刻（例えば１０分単位、１５分単位、あるいは５分単位で切り上げ、切り捨て、または四捨五入した時刻）をデフォルト値として開始日時指定部に表示する。このときの予約内容指定機能部３２０は到達予想時刻予約反映手段として機能する。この到着予想時刻に近い時刻は、選択されている店舗の予約時間指定最小単位（管理データベース３０４ｄに店舗データの一部として記憶）によって定められる。従って、例えば到着予想時刻が８時２７分で、店舗の予約時間指定最小単位が１０分であれば、到着予想時刻のすぐ後で予約時間指定最小単位にて指定可能な８時３０分をデフォルト値として開始日時指定部に表示する。なお、到着予想時刻が含まれる予約時間指定最小単位にて指定可能な８時２０分をデフォルト値として開始日時指定部に表示する構成としてもよい。
【００６１】
また、開始終了指定部には、上述したように定めて表示する開始日時指定部の開始日時から、その店舗において予約可能な最短時間が経過した日時をデフォルト表示する。このようにすることで、利用者は、現在地から移動してその店舗に到着する時刻に合わせた予約を簡単に実行できる。また、最短時間がデフォルトで設定されるため、利用者は、短時間利用の場合に最短時間を確認して予約内容を調整せずともよく、表示された最短時間よりも長く利用したい場合にだけ終了日時を変更する操作をすればよい。
【００６２】
また、座席表示部にて座席数を複数として指定した場合には、後述する座席選択画面３９０（図４（Ａ）参照）にて複数の座席（指定した数の座席）を指定することができる。
【００６３】
なお、この実施例では、到着予想時刻に基づいて開始日時のデフォルト値を定める構成としたが、これに限らず、「今すぐ予約」「到着予想時刻から予約」「日時を指定して予約」という３つのボタンを有する開始日時選択画面を表示し、その画面にて「到着予想時刻から予約」が選択されればこの実施例１と同じように開始日時のデフォルト値を定め、「今すぐ予約」が選択されれば現在時刻が含まれる直近の時間帯（現在が７時４２分で予約時間指定最小単位が１０分であれば７時４０分）を開始日時のデフォルト値とし、「日時を指定して予約」が押下された場合は開始日時を白紙状態（ブランク表示）として開始日時を指定させるなど、適宜の構成としてもよい。この場合も、到着予想時刻をデフォルト値として表示する選択が可能であるため、利用者は知らない場所であっても移動時間を考慮した予約を容易に実行することができる。
【００６４】
予約詳細表示部３８３の座席表示部を利用者が押下すると、座席指定機能部３２１（座席指定手段）が機能し、図４（Ａ）に示す座席選択画面３９０を表示部６ｊに表示する。
【００６５】
座席選択画面３９０は、予約画面３８０に戻るための予約画面に戻るボタン３９１、現在選択されている座席の情報を表示する選択座席表示部３９２、座席の配置が示された座席配置図上で座席の選択を許容する座席配置図表示部３９３、および予約を実行する予約実行ボタン３９９を有している。
【００６６】
座席配置図表示部３９３は、プレミアム価格の座席を示すプレミアム座席マーク３９４と、スタンダード価格の座席を示すスタンダード座席マーク３９５が店内のレイアウトに沿って複数表示されている。このプレミアム座席マーク３９４とスタンダード座席マーク３９５は、予約画面３８０の予約詳細表示部３８３にて指定された開始日時から終了日時までの間が空いている座席については空き座席色（図では濃い色）にて表示しており、開始日時から終了日時までの間で少しでも予約が入っている座席は予約済みスタンダード座席マーク３９６のように予約済座席色（図では薄い色）にて表示している。このように、予約の可否によって座席マークの表示を異ならせることにより、ユーザは予約可能な座席を容易に認識でき、予約可能な座席から好みの座席を選択することができる。
【００６７】
また、ユーザが予約座席として表示している座席には、選択マーク３９７が表示されている。この選択マーク３９７は、予約画面３８０の予約詳細表示部３８３にて開始日時等を指定している際に、表示している予約内容にて予約可能な座席を制御部６ａが任意に選択して定め、予約詳細表示部３８３の座席表示部に表示されており、この制御部６ａによってデフォルト座席として選択された座席に対してデフォルト表示される。この選択マーク３９７により、ユーザは現在選択されている座席を容易に認識でき、また異なる座席を選択しなおした際に指定座席が変更されているかを選択マーク３９７が正しく変更されているかによって容易に確認できる。
【００６８】
また、店舗においては、全席予約可能としておらず、一部の区画のみ予約可能な席とし、後は予約不可で来客順としている場合、予約不可領域３９８については座席マークを表示しない。
【００６９】
予約実行ボタン３８６（図３（Ｆ）参照）または予約実行ボタン３９９（図４（Ａ）参照）が押下されると、予約内容指定機能部３２０は、予約画面３８０にて指定された開始日時、終了日時、座席、クラス、店舗、およびユーザを指定する予約データをＷＥＢサーバ５を介して管理サーバ４へ送信し、管理データベース３０４ｄに仮予約として登録してホールドする。これにより予約がダブルブッキングすることを防止しており、この仮予約をしようとした時点で既に他人の仮予約または本予約が登録されデータ場合には、エラーを返信し、ユーザ端末６が表示部６ｊに「お席を確保できませんでした。再度予約内容をご変更下さい」といったエラー表示を行う。
【００７０】
無事に仮予約ができると、予約内容指定機能部３２０は、決済機能部３２２を機能させる。決済機能部３２２は、クレジットカードによる予約代金の決済を実施する。この決済機能３２２は、クレジットカードのカード番号、有効期限、およびセキュリティコードの入力を要求し、これらがユーザに入力されると、クレジット会社等のクレジット決済サーバにアクセスして認証を行う。認証ＯＫであれば、決済を進めると共に、ＷＥＢサーバ５を介して管理サーバ４の管理データベース３０４ｄに仮予約しデータデータを本予約に変更し、予約完了機能部３２３へ処理を渡す。
【００７１】
予約完了機能部３２３は、図示省略する予約完了画面を表示部６ｊに表示し、処理を終了する。
【００７２】
このようにして予約が完了すると、ユーザが店舗に対して予約をしている状態となる。この状態で、上述した店舗検索画面３４０（図３（Ｂ）参照）の現在の予約一覧ボタン３４６を押下すると、上述した現在予約表示機能部３１３が機能して、図４（Ｂ）に示す現在の予約一覧画面４１０を表示部６ｊに表示する。
【００７３】
この現在の予約一覧画面４１０には、店舗検索画面３４０に戻るための店舗検索へ戻るボタン４１１と、予約している日時および店舗を一覧表示する現在予約一覧表示部４１２を有している。予約が無い場合は、現在予約一覧表示部４１２には何も表示されず、「現在予約は有りません」といった予約無しを示す文字が表示される。
【００７４】
現在予約一覧表示部４１２に表示されている予約の一つが押下されると、予約内容詳細機能部３１４が機能し、図４（Ｃ）に示す予約内容詳細表示画面４２０を表示部６ｊに表示する。
【００７５】
この予約内容詳細表示画面４２０は、現在の予約一覧画面４１０へ戻るための現在の予約一覧へ戻るボタン４２１、予約した店舗名、座席、開始日時、終了日時、および決済済みか否かを表示する予約内容表示部４２２と、その店舗でその予約によって受けられるサービス内容を表示するサービス表示部４２３と、その予約によって管理サーバ４に付与された予約コードをＱＲコード（登録商標）等のコード画像で表示する予約コード表示部４２４を表示する。なお、予約コード表示部４２５は数字やアルファベット等の文字列によって予約コードを表示する予約コード文字表示部を設けてもよい。また、予約内容表示部４２２の店舗名が押下されると、その店舗の詳細を示す店舗詳細情報画面３６０（図３（Ｄ）参照）を表示する。
【００７６】
予約した店舗に入店したとき、利用者は、この店舗詳細情報画面３６０を店員に提示する。店員は、提供企業店舗端末３の入力部３ｉの一つとして設けられているコードリーダにて予約コード表示部４２４を読み取り、この入店の時刻近辺からの予約をしている予約者であることを確認する。
【００７７】
このとき、提供企業店舗端末３の制御部３ａは、店舗プログラム３０３ｃによってＷＥＢサーバ５にアクセスし、ＷＥＢサーバ５を介して管理サーバ４の管理データベース３０４ｄに読み取った予約コードが正式に登録されているものであるか照合する。
【００７８】
照合結果がＯＫであれば、サービス表示部４２３に表示されているサービスを行い、予約された座席の利用を受け付ける。照合結果がＮＧであれば、座席の利用を受け付けず、予約可能席以外の通常席を通常通りに飲食物の注文をする形であれば利用できる旨を案内する。
【００７９】
なお、照合に際しては、予約コードで特定した予約内容のうち、店舗と日付（開始日時または終了日時の年月日）のいずれかが異なれば照合ＮＧとし、店舗と日付がその店舗で本日であり、かつ、現在の時刻が予約コードで特定した予約内容の開始日時から終了時刻の間であれば認証ＯＫとし、現在時刻が開始日時の所定時間前（例えば３０分前あるいは１０分前など）から開始日時の間であれば開始時刻になれば利用ＯＫであることを示す条件付き認証ＯＫとし、店舗と日付は一致するが開始日時の所定時間前よりも現在時刻がさらに前であるか、終了日時よりも現在時刻が後であれば、認証ＮＧとする。これにより、予約された時間帯のみの利用を受け付けることを確実にでき、かつ、少し早く到着したような場合に、あと少し時間が経過して何時になれば利用可能であるといったことを案内する、あるいは少し早いが席が空いているから利用許可するといったことを実行できる。
【００８０】
以上の構成と動作により、飲食店と利用者の要望を両立することができ、両者の満足度を向上させることができる。すなわち、利用者は、慣れない土地の客先に訪問するような場合に、目的地付近の店舗を探して予約し、確実に利用することができる。また、店舗は、上記のような慣れない土地に来た利用者が店舗で長時間いても、予約によって席料を受け取れるため、確実に売り上げを得て少量注文での座席占有による売り上げ低下を防止できる。
【００８１】
また、座席単位で予約できるため、店舗は全席を予約可能にする必要がない。従って、予約を受け付けないことが一般的である喫茶店等の店舗であっても、一部の領域の座席のみを予約可能な座席とし、通常の来店のみの領域と予約可能な領域とを分けて運用することができる。これにより、ユーザによる様々な利用形態を受け付けることができる。また、予約については、利用時間に応じた課金となるため、珈琲一杯で長時間居座られるという店舗にとってのマイナスを防止できるとともに、知らない場所で早めに言って時間待ちに利用しようとしたユーザが満席で店舗を利用できないことを防止でき、長時間でも確実に利用したいユーザと少量注文での長時間の居座りを防止したい店舗の相反する問題を両方とも解決することができる。
【００８２】
しかも、予約可能な領域を店舗全体の一部とすることができるため、通常の来店順を優先とする営業も継続でき、店舗の経営を安定させることができる。また、予約可能な席について、予約をしていなくても予約者がいなければ利用できるように解放すれば、営業機会の損失を防止することができる。この場合でも、予約が座席を指定した予約であり、予約内容詳細画面４２０（図４（Ｃ）参照）にて予約した座席のＩＤを表示できるため、その座席を空いているからと利用している利用者に対して、予約内容詳細画面４２０を提示して自分が予約した席であることを明示することができる。これにより、予約利用と来店利用が混在するような状況となっても、予約者が予約席を確実に利用できるように運用できる。
【００８３】
しかも、このような利用形態を継続することで、長時間利用したいユーザに対して、来店順優先で入れないような場合に、いつ予約が入って席を離れなければならないかわからない状態となり、そのユーザが予約を取る動機づけとすることができる。そして、予約料金は席料であって、飲食物の注文は別途費用とできるため、店舗の総売り上げおよび利益率を向上させることができる。
【００８４】
なお、経路演算機能部３１９は、外部の図示省略する経路探索エンジンを備えたサーバにアクセスし、当該サーバから経路探索結果を取得する構成としてもよい。この場合、地図データについても同じサーバから取得する構成とすることもできる。これにより、外部で管理されるサーバを活用して店舗予約に活かすことができる。
【００８５】
また、店舗の予約可能な座席には、その座席のＩＤと予約優先座席であることを示しておくことが好ましい。このように運用することで、予約できることを知らない来店客にも予約可能な席であることを知らせることができ、予約者が来て席を空ける必要が生じてもシステムを理解して円満に席を空けることができる。
【実施例２】
【００８６】
＜システム構成＞
図５は、実施例２の決済システム１のシステム構成を示すブロック図である。  
決済システム１は、例えば、喫茶店やファミリーレストラン等の飲食物を提供する飲食店にて領域の時間利用を提供する飲食店時間利用決済システムである。
【００８７】
決済システム１は、飲食店本部等に設置される提供企業サーバ２、飲食店の店舗に設置される提供企業店舗端末３、管理会社等に設置される管理サーバ４、管理会社等に設置されるＷＥＢサーバ５、利用企業に所属する利用者（社員など）が携帯するユーザ端末６、及び利用企業本社等に設置される利用企業サーバ７を有しており、これらがインターネット９に接続されている。
【００８８】
提供企業サーバ２、管理サーバ４、ＷＥＢサーバ５、および利用企業サーバ７は、それぞれサーバコンピュータで構成されており、それぞれハードウェア要素として、ＣＰＵとＲＯＭとＲＡＭ等で構成されて各種演算や制御動作を実行する制御部２ａ，４ａ，５ａ，７ａ、ハードディスクやフラッシュメモリ等で構成されて情報の読み取り／書き込みを許容する記憶部２ｂ，４ｂ，５ｂ，７ｂ、タッチパネル、キーボード、マウス、押下ボタン、またはこれらの複数で構成されて接触操作による入力を受け付ける入力部２ｉ，４ｉ，５ｉ，７ｉ、液晶ディスプレイや有機ＥＬディスプレイ等で構成されて文字や図等の画像を表示する表示部２ｊ，４ｊ，５ｊ，７ｊ、及びＬＡＮボードやＷｉＦｉユニット等で構成されて有線または無線での通信を実行する通信部２ｋ，４ｋ，５ｋ，７ｋを備えている。
【００８９】
提供企業店舗端末３は、ＰＯＳレジ機能と通信機能を有する一般的なコンピュータで構成されており、ハードウェア要素として、ＣＰＵとＲＯＭとＲＡＭ等で構成されて各種演算や制御動作を実行する制御部３ａ、ハードディスクやフラッシュメモリ等で構成されて情報の読み取り／書き込みを許容する記憶部３ｂ、タッチパネル、キーボード、マウス、押下ボタン、またはこれらの複数で構成されて接触操作による入力を受け付ける入力部３ｉ、液晶ディスプレイや有機ＥＬディスプレイ等で構成されて文字や図等の画像を表示する表示部３ｊ、及びＬＡＮボードやＷｉＦｉユニット等で構成されて有線または無線での通信を実行する通信部３ｋを備えている。
【００９０】
ユーザ端末６は、携帯電話やスマートフォン等（総称して携帯電話とも言う。）で構成されており、ハードウェア要素として、ＣＰＵとＲＯＭとＲＡＭ等で構成されて各種演算や制御動作を実行する制御部６ａ、フラッシュメモリ等で構成されて情報の読み取り／書き込みを許容する記憶部６ｂ、タッチパネル、押下ボタン、またはこれらの複数で構成されて接触操作による入力を受け付ける入力部６ｉ、液晶ディスプレイや有機ＥＬディスプレイ等で構成されて文字や図等の画像を表示する表示部６ｊ、及び電話回線用アンテナやＷｉＦｉユニット等で構成されて無線での通信を実行する通信部６ｋを備えている。
【００９１】
提供企業サーバ２は、記憶部２ｂに、提携プログラム２ｃと提携データベース２ｄが記憶されている。提供企業サーバ２の制御部２ａは、提携プログラム２ｃに従って提携データベース２ｄのデータを利用して各種動作を実行する。
【００９２】
提供企業店舗端末３は、記憶部３ｂに、店舗プログラム３ｃと店舗データベース３ｄが記憶されている。提供企業店舗端末３の制御部３ａは、店舗プログラム３ｃに従って店舗データベース３ｄのデータを利用して各種動作を実行する。
【００９３】
管理サーバ４は、記憶部４ｂに、管理プログラム４ｃと管理データベース４ｄが記憶されている。管理サーバ４の制御部４ａは、管理プログラム４ｃに従って管理データベース４ｄのデータを利用して各種動作を実行する。
【００９４】
ＷＥＢサーバ５は、記憶部５ｂに、ＷＥＢプログラム５ｃとＷＥＢデータベース５ｄが記憶されている。ＷＥＢサーバ５の制御部５ａは、ＷＥＢプログラム５ｃに従ってＷＥＢデータベース５ｄのデータを利用して各種動作を実行する。
【００９５】
ユーザ端末６は、記憶部６ｂに、操作プログラム６ｃと操作データベース６ｄが記憶されている。ユーザ端末６の制御部６ａは、操作プログラム６ｃに従って操作データベース６ｄのデータを利用して各種動作を実行する。
【００９６】
利用企業サーバ７は、記憶部７ｂに、閲覧プログラム７ｃと利用データベース７ｄが記憶されている。利用企業サーバ７の制御部７ａは、閲覧プログラム７ｃに従って利用データベース７ｄのデータを利用して各種動作を実行する。
【００９７】
この構成により、決済システム１は、ユーザ端末６又は／及び提供企業店舗端末３によりユーザ識別情報および店舗識別情報を取得して利用企業サーバ７又は／及び提供企業サーバを介して管理サーバ４がユーザ識別情報および店舗識別情報を受信および認証（ユーザ認証及び店舗認証）し、ユーザ端末６により利用時間および飲食物の注文を受け付けて提供企業サーバ２を介して管理サーバ４が受信及び管理し、あるいは提供企業店舗端末３により利用時間および飲食物の注文を受け付けてＷＥＢサーバ５を介して管理サーバ４が受信及び管理し、利用者が利用した料金を利用企業サーバ７へ管理サーバ４が送信して決済を実行するものである。
【００９８】
図６及び図７は、管理サーバ４の管理データベース４ｄに記憶されている利用企業データ１１、利用企業部署データ１２、利用企業役職データ１３、利用企業社員データ１４、提携企業データ１５、提携企業店舗データ１６、及び提携企業メニューデータ１７の構成を示すデータ構成図である。これらの各データ（１１，１２，１３，１４，１５，１６，１７）は、図示する各項目（利用企業ＩＤ、…その他）により構成されており、同一名称のＩＤによって相互に関連づけられている。  
これにより、各種データが管理される。
【００９９】
図８は、ユーザ端末６、ＷＥＢサーバ５、管理サーバ４、および提供企業店舗端末３の各制御部６ａ，５ａ，４ａ，３ａが、各プログラム（６ｃ，５ｃ，４ｃ，３ｃ）に従って動作する機能を示す機能ブロック図であり、図９および図１０はユーザ端末６の制御部６ａが操作プログラム６ｃに従って表示部６ｊに表示する画面を説明する説明図である。
【０１００】
ユーザ端末６のメイン処理部は、各画面（１１０〜２６０）のメイン処理ボタン１１１が押下されることにより機動し、各機能部へのアクセスを許容する。ここで、ユーザ認証部が起動されると、ユーザ認証部は、図９（Ａ）のユーザ認証画面１１０を表示部６ｊに表示し、ＩＤ入力部へのＩＤの入力とパスワード入力部へのパスワードの入力を受け付け、ＯＫボタンの押下によってユーザ認証処理を行う。このユーザ認証処理を行うユーザ端末６のユーザ認証部は、ＷＥＢサーバ５へＩＤとパスワードを送信する。ＷＥＢサーバ５の制御部５ａは、ＷＥＢプログラム５ｃによってユーザ認証部として動作する。ＷＥＢサーバ５のユーザ認証部は、管理サーバ４の利用企業社員データ１４にアクセスしてＩＤとパスワードが一致するか認証し、認証結果をユーザ端末６へ送信する。なお、ユーザ認証に用いるＩＤとパスワードは、一度設定されれば保持しておき、次回からの入力を省略しても良い。
【０１０１】
ユーザ端末６の制御部６ａは、メイン処理部によって店舗認証部が起動されると、図９（Ｂ）に示す店舗認証画面１２０を表示する。この店舗認証画面１２０は、店舗ブランド名入力部と、店舗支店名入力部と、パスワード入力部を有し、店舗ブランド名と店舗支店名とパスワードの入力を受け付ける。
【０１０２】
また、店舗認証画面１２０は、ＧＰＳで店舗検索ボタンが押下されると、ＧＰＳ機能（図示省略）を起動して現在位置を特定し、ＷＥＢサーバ５へ送信する。ＷＥＢサーバ５は、店舗情報提供部（図８参照）として機能し、現在地から所定距離内にある店舗を提携企業店舗データ１６から抽出し、ユーザ端末６へ当該店舗のデータ（店舗ブランド名、店舗支店名、および住所）を送信する。ユーザ端末６の店舗検索部は、現在位置の付近の地図を表示するとともに、ＷＥＢサーバ５から受信した付近の店舗を地図上に表示する。
【０１０３】
この表示した店舗から１つの店舗が選択されると、店舗認証部は、選択された店舗の店舗ブランド名、店舗支店名を店舗認証画面１２０の店舗ブランド名入力部と店舗支店名入力部にそれぞれ入力して表示する。このときはパスワードのみ手動入力を求める。
【０１０４】
店舗認証画面１２０のＯＫボタンが押下されると、店舗認証部は、店舗ブランド名、店舗支店名、パスワードをＷＥＢサーバ５へ送信する。ＷＥＢサーバ５は、店舗認証部（図８参照）として機能し、管理サーバ４の提携企業店舗データ１６にアクセスして、店舗ブランド名、店舗支店名、およびパスワードが一致するか否か認証を行う。
【０１０５】
店舗が特定されると、ユーザ端末６の制御部６ａは、ＷＥＢサーバ５を通じて管理サーバ４の提携企業店舗データ１６からメニュー情報を取得する。
【０１０６】
ユーザ端末６の制御部６ａは、図９（Ｃ）に示す利用時間および席数入力画面１３０を表示部６ｊに表示し、利用時間および席数指定部（図８参照）として機能する。利用時間および席数指定部は、席数入力部での席数の入力と、利用時間入力部での利用時間の入力を受け付け、利用申請ボタンが押下されると、図１０（Ｂ）に示す利用申請および注文画面２２０を表示部６ｊに表示する。戻るボタンが押下されると、店舗認証画面１２０に戻り、詳細指定ボタンが押下されると、図９（Ａ）に示す利用時間および席数の変更画面１４０を表示部６ｊに表示する。
【０１０７】
ユーザ端末６の制御部６ａは、図９（Ｄ）に示す利用時間および席数の変更画面１４０を表示し、利用時間および席数変更部（図８参照）として機能する。利用時間および席数変更部は、上部に入力済み席別利用時間を示す入力内容表示部と、変更内容入力部と、注文画面へボタンと、閉じるボタンが設けられている。入力内容表示部は、時間席数タブと、飲み物タブと、食べ物タブと、文具タブが設けられ、これらのタブのどれが選択されているかによって内容が変化する。利用時間および席数の変更画面１４０は、時間席数タブが選択されている状態の画面であり、１０単位等の所定時間単位で変更する時間を指定する時間指定部と、指定された時間の追加を行う追加ボタンと、指定された時間の削除を行う削除ボタンが設けられている。また、利用時間および席数の変更画面１４０は、いつから席数変更をするかを示す席数変更開始時刻の入力を受け付ける席数変更開始時刻入力部と、その時刻から変更する席数を入力する変更席数入力部と、入力された席数の追加を行うのか削除を行うのかを入力させる追加ボタンと削除ボタンが設けられている。
【０１０８】
飲み物タブが選択されると、ユーザ端末６の制御部６ａは、飲み物注文受付部（図８参照）として機能し、図９（Ｅ）に示す飲み物注文画面１６０を表示部６ｊに表示する。
【０１０９】
飲み物注文画面１６０は、上部の注文用の入力内容を表示する入力内容表示部と、複数の注文用ボタンとが表示されている。注文用ボタンは、例えば、ブレンド、アメリカン、エスプレッソ等のように、飲み物のメニュー名が記載されたボタンで構成されている。また、Ｓ，Ｍ，Ｌ等のサイズを入力するサイズ入力ボタンや、ホットかアイスかを入力するホットボタンとアイスボタン、および数量の増加をする数量追加ボタン（＋１）と数量の減少をする数量減少ボタン（−１）も備えている。さらに、時間利用時にセットとしてサービスする珈琲（例えばブレンド珈琲）を他の飲み物に変更する際に、その飲み物の金額から所定の金額を減額するセット珈琲変更ボタンが設けられている。これらの注文ボタンについて、注文ボタンのメニュー等の項目に対する単価がメニュー情報取得部（図８）で取得したメニュー情報に記憶されている。従って、このメニュー情報から、押下されたメニューボタンのメニューについての単価を読み取ることができる。
【０１１０】
食べ物タブが選択されると、ユーザ端末６の制御部６ａは、食べ物注文受付部（図８参照）として機能し、図９（Ｆ）に示す食べ物注文画面１８を表示部６ｊに表示する。
【０１１１】
食べ物注文画面１８０は、上部の注文用の入力内容を表示する入力内容表示部と、複数の注文用ボタンとが表示されている。注文用ボタンは、例えば、トースト、チーズトースト、クロワッサン等のように、食べ物のメニュー名が記載されたボタンで構成されている。また、数量の増加をする数量追加ボタン（＋１）と数量の減少をする数量減少ボタン（−１）も備えている。なお、この食べ物注文画面１８０には、飲み物のときのセット珈琲変更ボタンのような減額用ボタンは存在していないが、セット食べ物変更ボタンを備えて、予めセットされている食べ物を変更した場合に割引を行える構成としてもよい。
【０１１２】
文具タブが選択されると、ユーザ端末６の制御部６ａは、文具注文受付部（図８参照）として機能し、図１０（Ａ）に示す文具注文画面２００を表示部６ｊに表示する。
【０１１３】
文具注文画面２００は、上部の注文用の入力内容を表示する入力内容表示部と、複数の注文用ボタンとが表示されている。注文用ボタンは、例えば、耳栓、ボールペン、えんぴつなど、飲食物以外の商品の名称を示すボタンにより構成されている。また、数量の増加をする数量追加ボタン（＋１）と数量の減少をする数量減少ボタン（−１）も備えている。なお、この文具注文画面２００には、飲み物のときのセット珈琲変更ボタンのような減額用ボタンは存在していないが、セット文具変更ボタンを備えて、予めセットされている文具を変更した場合に割引を行える構成としてもよい。
【０１１４】
このように構成された利用時間および席数指定部（図８参照）および利用時間および席数変更部（図８参照）により入力された内容で利用申請注文ボタン（図１０（Ａ），図１０（Ｂ）参照）が押下されると、ユーザ端末６の制御部６ａは、利用申請部（図８参照）として機能する。利用申請部は、図１０（Ｂ）に示す利用申請注文内容確認画面２２０を表示部６ｊに表示し、利用申請内容および注文内容の確認を受け付ける。利用申請注文ボタンが押下されると、利用申請部はＷＥＢサーバ５へユーザＩＤおよび店舗ＩＤを含む利用申請注文情報をＷＥＢサーバ５へ送信する。
【０１１５】
これを受けたＷＥＢサーバ５の制御部５ａは、利用可否判定部（図８）として機能する。利用可否判定部は、管理サーバ４へ利用申請注文情報を送信し、利用可否の判定を受け付ける。このとき、管理サーバ４は、利用申請受付部により利用申請注文情報を受け付け、利用可否決定部により利用の可否を決定し、利用許可通知部によって当該申請を行ったユーザが利用可能であることを通知する。この通知を受けたＷＥＢサーバ５の利用可否判定部は、ユーザ端末６へ利用可であることを通知すると共に、利用情報登録部と通じて注文データベースに利用申請及び注文の内容を記憶する。ユーザ端末６は、申請結果出力部として機能し、図１０（Ｄ）に示す利用情報表示画面２６０を表示する。
【０１１６】
このようにして利用申請が完了すると、ユーザ端末６およびＷＥＢサーバ６は、時間監視部として機能し、ユーザ端末６の表示部６ｊに図１０（Ｄ）の利用内容および利用可能時間表示画面２６０を表示する。この利用可能時間表示画面２６０は、領域（一人分のテーブル上の領域と一人分の椅子）の使用の開始時間、終了時間、その間の時間、および小計金額を表示する。追加延長ボタンが押下されると、図９（Ｄ）に示した利用時間および席数の変更画面１４０を表示し、時間延長や注文の追加を受け付ける。なお、飲食系と文具系にわけて小計料金を表示するなど、適宜の構成とすることができる。また、時間表示部で残り時間がゼロになると、利用時間が終了した旨をユーザ端末６の終了通知部へ送信し、終了通知部が表示部６ｊに終了したことを表示することで、終了したことを利用者に伝えることができる。
【０１１７】
ＷＥＢサーバ５の時間監視部は、ユーザ端末６とは別に時間監視をしており、利用時間が終了すると、終了通知部によって提携企業店舗端末３へ終了通知をする。
【０１１８】
提携企業店舗端末３は、利用中情報出力部によって時間利用中であることを出力する。この出力がなされている間、ユーザ端末６や提供企業店舗端末３は、この出力を受信して時間利用が行われていることを把握できる。
【０１１９】
ＷＥＢサーバ５の終了通知部から終了した旨の通知を受けた提携企業店舗端末３は、終了通知部によりそのユーザ端末６を所有するユーザに対する時間での席の提供が終了したことを表示部５ｊに表示し、そのユーザが退店したことを確認すると、退店確認入力部にて退店したことを入力管理する。
【０１２０】
図１０（Ｃ）は、利用履歴および業務報告画面２４０の画面構成を示す説明図である。利用履歴および業務報告画面２４０は、利用した利用履歴を日時や店舗名等を１行に表示して利用履歴を一覧表示する利用履歴表示部と、利用履歴表示部において選択された１つの利用に関する報告内容（社内での報告の内容）の入力を受け付ける報告内容入力部と、報告内容入力部の内容を消去するクリアボタンと、報告内容入力部に入力した内容を保存する保存ボタンと、報告内容入力部に入力した内容を任意のＥｍａｉｌアドレスあるいは予め定められた送信先へ送信する送信ボタンと、この画面を閉じるための閉じるボタンが設けられている。
【０１２１】
以上の構成および動作により、飲食店と利用者の要望を満たす仕組みを提供し、両者の満足度を向上させることができる。すなわち、利用者は、利用時間と席数を指定して、席数の領域を指定した利用時間だけ伸び伸びと使用することができ、不要な飲み物や食べ物を注文せずとも落ち着いて利用することができる。このとき、時間利用であるため、例えば顧客が並んでいたとしても費用を支払って必要な時間まで利用することができる。店舗側は、利用時間に応じて料金を徴収できるため、一人の利用者に一杯の珈琲で長時間利用されることを防止でき、その長時間利用者のために並んで待っている人を席に案内できないといった営業機会の損失を防止することができる。
【０１２２】
利用者は、席数を入力できるため、例えば広いスペースを使って作業をしたい場合には、一人で複数席の利用申請をすることができる。これにより、利用者は必要な作業領域を他の利用者に遠慮することなく確保することができる。
【０１２３】
また、時間利用をしたときには珈琲等のセット飲料をサービスする構成とすることで、利用者は喉を潤しながら仕事等に席（領域）を利用することができる。
【０１２４】
また、セット飲料（この実施例ではブレンド珈琲）を別の飲料に変更することができ、その変更の際には変更後の飲料の料金から所定の減額を行うことができるため、利用者の満足度を向上させることができる。
【０１２５】
また、利用時間と席数とで定まる領域利用の料金と、飲み物、食べ物、および文具といった商品注文の料金をまとめて請求できるため、利便性を向上させることができる。
【０１２６】
また、利用者は、くつろげる空間であるカフェ等の飲食店を仕事の場所として利用できるため、快適な環境で仕事を行うことができる。
【０１２７】
また、多数の飲食店のうち、現在地に近い飲食店を選択して時間利用できるため、営業等で訪問する相手企業の近くの飲食店を、訪問までの時間調整や仕事に利用することができ、利用者の満足度を向上させることができる。
【０１２８】
また、時間監視部によって利用時間を監視し、終了通知部によって利用時間が終了したことを通知するため、利用時間が終了してもそのまま継続して利用しているといったことを気付かずに放置することを防止できる。
【０１２９】
この発明は、上述した実施形態に限らず、様々な実施形態をとることができる。  
例えば、利用時間の入力は、時間を入力する、あるいは開始時刻と終了時刻を入力するなど、適宜の方法で利用時間がわかるように入力することができる。
【０１３０】
また、利用者に提供する領域として、席の数を入力する方式としたが、テーブル上の領域を面積で入力するなど、適宜の方式で入力を受け付ける構成とすることもできる。
【０１３１】
また、席別に利用時間を求め、これを全て加算することで領域の利用料金を算出する構成としたが、これに限らず、時間利用単価と利用時間と領域数を乗算して料金を求めるなど、適宜の方法によって領域の利用に対する料金を算出することができる。
【０１３２】
また、実施例１と実施例２の機能を適宜組み合わせて、両方利用できるシステムとする、あるいは、一部同士を組み合わせて利用できるシステムとするなど、適宜の構成とすることもできる。これにより、自由度および汎用性の高いシステムを構築でき、ユーザや店舗の様々な要望に対応することができる。
【産業上の利用可能性】
【０１３３】
この発明は、飲食物などの商品を提供する店舗にて時間利用を提供するサービスに利用することができる。
【符号の説明】
【０１３４】
１…決済システム
２…提供企業サーバ
３…提供企業店舗端末
４…管理サーバ
５…ＷＥＢサーバ
６…ユーザ端末
７…利用企業サーバ
９…インターネット
１１…利用企業データ
１２…利用企業部署データ
１３…利用企業役職データ
１４…利用企業社員データ
１５…提携企業データ
１６…提携企業店舗データ
１７…提携企業メニューデータ
１２０…店舗認証画面
１４０…利用時間および席数の変更画面
１６０…飲み物注文画面
１８０…食べ物注文画面
２００…文具注文画面
２２０…利用申請注文内容確認画面
２４０…利用履歴および業務報告画面
２６０…利用情報表示画面
３０１…領域予約システム
３１６…検索条件入力機能部
３１９…経路演算機能部
３２０…予約内容指定機能部
３２１…座席指定機能部
３５４…検索条件入力部
３８６…予約実行ボタン
【図１】
2019185078.tif 000003
【図２】
2019185078.tif 000004
【図３】
2019185078.tif 000005
【図４】
2019185078.tif 000006
【図５】
2019185078.tif 000007
【図６】
2019185078.tif 000008
【図７】
2019185078.tif 000009
【図８】
2019185078.tif 000010
【図９】
2019185078.tif 000011
【図１０】
2019185078.tif 000012